(57)【要約】【課題】名寄せし易い形態で帳票を排出できる連続帳票処理装置を提供する。【解決手段】本発明にかかる連続帳票装置１の序列検査部１０は、序列検査を行っている際、名寄せの対象となる顧客が切り替わることが、連続帳票２から読み取った管理コードの名寄せデータにより示されると、キッカー部１３にキック指示を出し、キッカー部１３は、序列検査部１０からキック指示を受けると、管理コードを読み取る位置からキッカー部１３の位置まで帳票が搬送される時間をあけてから、コンベア部１２上の帳票を横方向にキックする動作を行う。【選択図】図３
2014019542.tif 000002
【特許請求の範囲】
【請求項１】
一つの封筒に封入する複数の帳票が連続した連続帳票を処理する装置であって、前記連続帳票には、序列検査に用いる通数連番と名寄せに用いる名寄せデータを含む管理コードが設けられ、前記管理コードを前記連続帳票から読み取り序列検査を行う序列検査部と、前記連続帳票を帳票の単位で切り離すバースター部と、前記バースター部から排出された帳票を装置の外へ排出するコンベア部と、前記コンベア部上にある帳票を横方向にキックするキッカー部を備え、
前記序列検査部は、序列検査を行っている際、名寄せの対象となる顧客が切り替わることが、前記連続帳票から読み取った管理コードの名寄せデータにより示されると、前記キッカー部にキック指示を出し、前記キッカー部は、前記序列検査部からキック指示を受けると、管理コードを読み取る位置から前記キッカー部の位置まで帳票が搬送される時間をあけてから、帳票を横方向にキックする動作を行うことを特徴とする連続帳票処理装置。
【発明の詳細な説明】
【技術分野】
【０００１】
本発明は、顧客に郵送する各帳票を連続して印字した連続帳票を処理する技術に関する。
【背景技術】
【０００２】
顧客に郵送するダイレクトメールを製造する際、ダイレクトメールに封入する帳票の内容を印字した連続帳票をバリアブルプリンタにて製造した後、特許文献１で開示されているようなバースター装置により、この連続帳票を帳票単位に切断して顧客毎に帳票を名寄せし、名寄せした帳票を一つの封筒に封入する作業が行われている。
【０００３】
このような作業を自動的に行うシステムとして、例えば、特許文献２において、配列する複数の丁合ポケットを欠搬送する搬送手段と、連続帳票を各ページに断裁して丁合ポケットに供給する連続帳票供給手段と、各ページの帳票コードを読取る帳票コードリーダと、封入封緘された封筒を丁合ポケットの１つに供給する封筒供給手段と、各封筒の封筒コードを読取る封筒コードリーダと、読取った各コードに基づいて、同一群に属するページと封筒とが同一丁合ポケットに供給されるように制御する名寄せ制御手段と、名寄せされたすべてのページと封筒とを１つの主封筒に封入封緘する封入封緘手段とを具備するようにした封入封緘システムが開示されている。
【０００４】
封筒に封入する封入物全てが、名寄せに用いる名寄せコードが付加された帳票であれば、特許文献２で開示されているようなシステムを利用できるが、名寄せコードが付加された帳票以外に、顧客の利用状況に応じた金券やクーポン券など、名寄せコードを付加できない付録が封入物に含まれる場合、特許文献２で開示されているようなシステムを利用できず、連続帳票を帳票単位で切断する工程と、顧客毎に帳票を名寄せした後、名寄せした帳票に加え、顧客に対応した金券やクーポン券などの付録を封筒に封入する工程を別々に実施していた。
【０００５】
しかし、このように、連続帳票を帳票単位で切断する工程と、顧客毎に帳票を名寄せした後、名寄せした帳票に加え、顧客に対応した金券やクーポン券などの付録を封筒に封入する工程を別々に行うと、作業人員や作業時間が増えるため、封筒に封入する封入物に、金券やクーポン券などの付録が含まれる場合であっても、連続帳票を帳票単位で切断する工程と、帳票を名寄せして封入する工程をインラインで行えるようにすることが望まれている。
【０００６】
封筒に封入する封入物に、金券やクーポン券などの付録が含まれる場合であっても、連続帳票を帳票単位で切断する工程と、帳票を名寄せして封入する工程をインラインで行うことを検討すると、顧客毎に帳票を名寄せする作業がボトルネックになるため、連続帳票を帳票毎に切断する工程において、名寄せし易い形態で帳票を排出することが必要になる。
【先行技術文献】
【特許文献】
【０００７】
【特許文献１】特開平５−２９３８００号公報
【特許文献２】特開２００７−８６５３号公報
【発明の概要】
【発明が解決しようとする課題】
【０００８】
そこで、本発明は、連続帳票を帳票毎に切断して排出する装置において、名寄せし易い形態で帳票を排出できる装置を提供することを目的とする。
【課題を解決するための手段】
【０００９】
上述した課題を解決する本発明は、一つの封筒に封入する複数の帳票が連続した連続帳票を処理する連続帳票装置であって、前記連続帳票には、序列検査に用いる通数連番と名寄せに用いる名寄せデータを含む管理コードが設けられ、前記管理コードを前記連続帳票から読み取り序列検査を行う序列検査部と、前記連続帳票を帳票の単位で切り離すバースター部と、前記バースター部から排出された帳票を装置の外へ排出するコンベア部と、前記コンベア部上にある帳票を横方向にキックするキッカー部を備える。
【００１０】
名寄せの対象となる顧客が切り替わった時の最初の帳票を、横方向の位置をずらした状態で連続帳票装置から排出できるように、本発明にかかる連続帳票処理装置の前記序列検査部は、序列検査を行っている際、名寄せの対象となる顧客が切り替わることが、前記連続帳票から読み取った管理コードの名寄せデータにより示されると、前記キッカー部にキック指示を出し、前記キッカー部は、前記序列検査部からキック指示を受けると、管理コードを読み取る位置から前記キッカー部の位置まで帳票が搬送される時間をあけてから、帳票を横方向にキックする動作を行う。
【発明の効果】
【００１１】
このように、本発明の連続帳票処理装置によれば、名寄せの対象となる顧客が切り替わった時の最初の帳票は、横方向の位置がずれた状態で連続帳票処理装置から排出されるため、一つの封筒に封入する帳票を顧客毎に容易に区分できるようになり、顧客毎に帳票を名寄せし易くなる。
【図面の簡単な説明】
【００１２】
【図１】本実施形態にかかる連続帳票処理装置を説明する図。
【図２】連続帳票処理装置が処理する連続帳票を説明する図。
【図３】連続帳票処理装置のブロック図。
【発明を実施するための形態】
【００１３】
ここから、本発明の好適な実施形態について、図面を参照しながら詳細に説明する。
【００１４】
図１は、本実施形態にかかる連続帳票処理装置１を説明する図である。本実施形態にかかる連続帳票処理装置１は、一つの封筒に封入する複数の帳票２ａを連続して印字した連続帳票２からダイレクトメールなどの郵送物を製造する際、連続帳票２を帳票２ａ毎に切断する工程と、帳票２ａを封筒に封入する工程をインラインで実行できるように開発された装置で、図１では、連続帳票２を処理する連続帳票処理装置１に加え、連続帳票処理装置１から排出される帳票２ａを刺身状で搬送する搬送コンベア３を図示している。
【００１５】
図２は、連続帳票処理装置１が処理する連続帳票２を説明する図である。連続帳票処理装置１が処理する連続帳票２の両側には、連続帳票２のフィードに用いられる送り穴２３が一定間隔で加工され、更に、連続帳票２の送り穴２３をスリットするための天地ミシン目２１が連続的に加工されている。
【００１６】
また、連続帳票処理装置１が処理する連続帳票２には、連続帳票２を帳票２ａ毎に切断する際に用いられる左右ミシン目２２が帳票２ａのサイズをあけて加工され、連続帳票処理装置１によって左右ミシン目２２がバーストされることで、連続帳票２は帳票２ａ毎に切断される。
【００１７】
また、連続帳票処理装置１が処理する連続帳票２には、バリアブルプリンタを用いて、一つの封筒に封入する複数の帳票２ａの内容が連続して印字される。例えば、図２では、顧客Ｘ宛ての封筒に封入する帳票Ｘ１からＸ５が連続して印字され、その後に、顧客Ｙ宛ての封筒に封入する帳票２ａが印字されている。一人の顧客宛に郵送される帳票２ａの数は同じでなくともよく、例えば、顧客Ｙ宛ての封筒に封入する帳票２ａは帳票Ｙ１からＹ４の４通でもよい。
【００１８】
また、帳票２ａには序列検査等に用いる管理コード２０が印字される。管理コード２０は、ＯＣＲ文字を用いて帳票２ａに印字してもよいが、図２では、管理コード２０をエンコードした光学マーク（例えば、バーコード）を帳票２ａに印字している。
【００１９】
連続帳票２に印字する管理コード２０のフォーマットは任意であるが、この管理コード２０には、帳票２ａの品目を意味する品目コード、帳票２ａの通数連番に加え、名寄せに用いる名寄せデータが含まれる。名寄せの対象となる顧客が切り替わることが判定できれば、名寄せに用いる名寄せデータの形式は任意でよく、顧客を識別するデータを名寄せデータとして用いることもできるし、名寄せ連番（名寄せ分子／名寄せ分母）を名寄せデータとして用いることもできる。
【００２０】
顧客を識別するデータを名寄せデータとして用いる場合、顧客を識別するデータが変われば、名寄せの対象となる顧客が切り替わると判定できる。名寄せ連番を名寄せデータとして用いる場合、名寄せ連番の名寄せ分子が初期値（１通目）であれば、名寄せの対象となる顧客が切り替わると判定できる。
【００２１】
図３は、連続帳票処理装置１のブロック図である。図３に図示したように、連続帳票処理装置１は、連続帳票２に印字された帳票２ａの序列検査を行う序列検査部１０、連続帳票２を帳票２ａ毎に切断するバースター部１１、バースター部１１から排出された帳票２ａを排出するコンベア部１２と、コンベア部１２上にある帳票２ａを横方向にキックするキッカー部１３を備える。
【００２２】
連続帳票処理装置１の序列検査部１０は、連続帳票２に印字された帳票２ａの序列検査を行い、キッカー部１３にキック指示を出すために連続帳票処理装置１に備えられ、連続帳票２に印字された管理コード２０を読み取るリーダ１００を有している。
【００２３】
連続帳票２に印字された管理コード２０を読み取るリーダ１００の具体的な形態は、管理コード２０の印字形態に依存し、図２で図示したように、管理コード２０をエンコードした光学コードを帳票２ａに印字する場合、序列検査部１０が有するリーダ１００はバーコードリーダになる。また、管理コード２０をＯＣＲ文字で印字する場合、序列検査部１０が有するリーダ１００はカメラになる。
【００２４】
連続帳票処理装置１の序列検査部１０は、リーダ１００を用いて、連続帳票処理装置１にフィードされた連続帳票２から管理コード２０を読み取り、読み取った管理コード２０が記憶している序列通りであるか確認することで、帳票２ａの序列検査を行う。
【００２５】
更に、連続帳票処理装置１の序列検査部１０は、帳票２ａの序列検査を行っている際、名寄せの対象となる顧客が切り替わることが、帳票２ａから読み取った管理コード２０の名寄せデータにより示されると、キック指示をキッカー部１３に出す処理を行う。
【００２６】
例えば、顧客を識別するデータを名寄せデータとして用いる場合、連続帳票処理装置１の序列検査部１０は、顧客を識別するデータが変わると、キック指示をキッカー部１３に出す処理を行う。また、名寄せ連番を名寄せデータとして用いる場合、連続帳票処理装置１の序列検査部１０は、名寄せ連番の名寄せ分子が初期値（１通目）であれば、キック指示をキッカー部１３に出す処理を行う。
【００２７】
本実施形態において、連続帳票処理装置１のバースター部１１は、連続帳票２の両側に設けられた送り穴２３に引っ掛ける複数のピンを用いて連続帳票２をフィードするピントラクタ１１０と、連続帳票２の送り穴２３を天地ミシン目２１に沿って切り離すスリッタ１１１と、一対の前側駆動ローラ１１２と、バーストさせる際に左右ミシン目２２と押圧するブレード１１３と、一対の後側駆動ローラ１１４と、バーストした帳票２ａを送り出す送りローラ１１５を有している。
【００２８】
連続帳票処理装置１のバースター部１１は、帳票２ａの天地方向の長さがフィードされるタイミングに合わせて、連続帳票２が引っ張られるように前側駆動ローラ１１２と後側駆動ローラ１１４を駆動させ、ブレード１１３を連続帳票２の左右ミシン目２２に押圧させることで、左右ミシン目２２をバーストさせて連続帳票２を帳票毎に切断し、連続帳票２を切断することで得られた帳票２ａをバースター部１１の送りローラ１１５によってコンベア部１２上へ排出する。
【００２９】
本実施形態において、連続帳票処理装置１のコンベア部１２は、バースター部１１から排出された帳票２ａを搬送コンベア３まで搬送するために連続帳票処理装置１に備えられ、コンベア部１２の速度は、バースター部１１から排出される帳票２ａが一定間隔をあけて並ぶように調整されている。
【００３０】
本実施形態において、連続帳票処理装置１のキッカー部１３は、コンベア部１２の搬送経路の中央付近に設置され、キッカー部１３は、序列検査部１０からキック指示を受けると、管理コード２０を読み取る位置からキッカー部１３の位置まで帳票２ａが搬送される時間をあけてから、帳票２ａを横方向にキックする動作を行う。
【００３１】
序列検査部１０のリーダ１００の読み取り位置からキッカー部１３の位置まで帳票２ａが搬送される時間は、例えば、ピントラクタ１１０と接続させたエンコーダの信号を用いて計測することができる。また、帳票２ａを横方向にキックする機構としては様々考えられるが、特開２００５−１８６０３８号公報には、キック棒を用いた機構が開示されている。
【００３２】
図３に図示しているように、連続帳票処理装置１のキッカー部１３が、コンベア部１２上にある帳票２ａを横方向にキックすることで、名寄せの対象となる顧客が切り替わった時の帳票２ａは横方向の位置がずれ、横方向の位置がずれた状態で搬送コンベア４に積載されることになる。
【００３３】
このように、本実施形態の連続帳票処理装置１によれば、名寄せの対象となる顧客が切り替わった時の帳票２ａは、横方向の位置がずれた状態で搬送コンベア４に積載されるため、一つの封筒に封入する帳票２ａを顧客毎に容易に区分できるようになり、顧客毎に帳票２ａを名寄せし易くなる。
【符号の説明】
【００３４】
１    連続帳票処理装置
１０  序列検査部
１１  バースター部
１２  コンベア部
１３  キッカー部
２    連続帳票
２ａ  帳票
【図１】
2014019542.tif 000003
【図２】
2014019542.tif 000004
【図３】
2014019542.tif 000005